(57)【要約】      （修正有）【課題】通常のフォーカス駆動とマクロ駆動の切替えを操作リングの操作のみにより、かつ、連続的に切替えることを可能にしたレンズ装置を提供する。【解決手段】操作範囲を制限する機械的な端を有する焦点位置操作部材１１１と、ＭＯＤから無限遠までの間で焦点位置を変更するフォーカス制御手段と、該ＭＯＤよりもさらに近距離となるように焦点位置を変更するマクロ制御手段と、該焦点位置操作部材が指示する焦点位置が、フォーカス制御手段による焦点位置と、マクロ制御手段による焦点位置とのうち、一方を選択する焦点指示切替手段とを有し、該焦点指示切替手段は、該焦点位置操作部材が操作され第１の位置に達した後に指示する焦点位置を切替える。【選択図】図１
2014235200.tif 000002
【特許請求の範囲】
【請求項１】
焦点位置を指示する焦点位置操作部材であって、該焦点位置操作部材の操作範囲を制限する機械的な端を有する焦点位置操作部材と、
ＭＯＤから無限遠までの間で焦点位置を変更するフォーカス制御手段と、
該ＭＯＤよりもさらに近距離となるように焦点位置を変更するマクロ制御手段と、
該焦点位置操作部材が指示する焦点位置が、フォーカス制御手段による焦点位置と、
マクロ制御手段による焦点位置とのうち、一方を選択する焦点指示切替手段とを有し、
該焦点指示切替手段は、該焦点位置操作部材が操作され第１の位置に達した後に指示する焦点位置を切替えることを特徴とするレンズ装置。
【請求項２】
焦点位置を指示する焦点位置操作部材であって、該焦点位置操作部材の操作範囲を制限する機械的な端を有する焦点位置操作部材と、
ＭＯＤから無限遠までの間で焦点位置を変更するフォーカス制御手段と、
該ＭＯＤよりもさらに近距離となるように焦点位置を変更するマクロ制御手段と、
該焦点位置操作部材が指示する焦点位置が、フォーカス制御手段による焦点位置と、
マクロ制御手段による焦点位置とのうち、一方を選択する焦点指示切替手段と、
マクロモードが有効と無効とのうち、一方を選択するマクロモード選択手段を有し、該焦点指示切替手段は、該焦点位置操作部材が操作され第１の位置に達したときに、マクロモード選択手段の選択結果に基づいて、切替えを許可するか否かを決定することを特徴とするレンズ装置。
【請求項３】
前記第１の位置は、前記機械的な端であることを特徴とする請求項１又は請求項２に記載のレンズ装置。
【請求項４】
前記焦点位置操作部材は、前記第１の位置の手前である第２の位置から、前記第１の位置とは異なる端の間で操作されることにより焦点位置を指示することを特徴とする請求項３に記載のレンズ装置。
【請求項５】
前記焦点位置操作部材は、前記第１の位置と前記第２の位置との間における操作力と、前記第２の位置から前記他方の端までの間における操作力とが、それぞれ異なることを特徴とする請求項４に記載のレンズ装置。
【請求項６】
合焦点検出手段を有し、前記焦点指示切替手段は、
前記フォーカス制御手段による焦点位置と前記マクロ制御手段による焦点位置とのうち、
現在選択されていない焦点位置の方に合焦点があると判断されるとき、指示する焦点位置を切替えることを許可することを特徴とする請求項１又は請求項２に記載のレンズ装置。
【請求項７】
前記焦点位置操作部材は、前記第１の位置から所定の位置までは、前記焦点位置操作部材を操作しても、指示する焦点位置を変化させない不感帯を有することを特徴とする請求項１乃至請求項６の何れか１項に記載のレンズ装置。
【発明の詳細な説明】
【技術分野】
【０００１】
本発明は、レンズ装置に関し、特にフォーカス機能およびマクロ機能を有するレンズ装置に関するものである。
【背景技術】
【０００２】
従来、フォーカス機能およびマクロ機能を有するレンズにおいて、フォーカス駆動とマクロ駆動をそれぞれ別々のコントローラで制御するのではなく、１つのコントローラにより制御するものが知られている。フォーカス駆動とマクロ駆動を行うためのコントローラを個別に使用する必要がなく、また、操作リング等の操作部材も共通に使用出来るため、操作性が向上するとともに、経済的である等の利点がある。
【０００３】
また、特許文献１では、操作部材の操作範囲を制限する機械的な端を有さない、端なしの操作部材により、フォーカスレンズ、マスターレンズのうち、選択されている方を駆動するという技術が開示されている。フォーカスレンズ／マスターレンズ切替えスイッチにより選択されている方を駆動するものである。
【先行技術文献】
【特許文献】
【０００４】
【特許文献１】特開２００２−１０７６０８号公報
【発明の概要】
【発明が解決しようとする課題】
【０００５】
特許文献１に記載の従来技術では、操作対象を切替えるためには、フォーカス駆動とマクロ駆動のうちいずれかを選択するためのスイッチを操作する必要があった。このため、ＭＯＤよりもさらに近距離の位置や、ＭＯＤよりも遠い位置にいる被写体に焦点を合わせる場合、その都度スイッチを操作しなくてはならなかった。
【０００６】
また、コントローラとして端なしの操作リングを用いる構成の為、操作リングに焦点位置を示す指標を表示させることが出来ず、ユーザが現在の焦点位置を視覚的に把握することが出来なかった。
【０００７】
そこで、本発明の目的は、通常のフォーカス駆動とマクロ駆動の切替えを操作リングの操作のみにより、かつ、連続的に切替えることを可能にしたレンズ装置を提供することである。
【課題を解決するための手段】
【０００８】
上記目的を達成するために、本発明は、
焦点位置を指示する焦点位置操作部材であって、該焦点位置操作部材の操作範囲を制限する機械的な端を有する焦点位置操作部材と、
ＭＯＤから無限遠までの間で焦点位置を変更するフォーカス制御手段と、
該ＭＯＤよりもさらに近距離となるように焦点位置を変更するマクロ制御手段と、
該焦点位置操作部材が指示する焦点位置が、フォーカス制御手段による焦点位置と、
マクロ制御手段による焦点位置とのうち、一方を選択する焦点指示切替手段とを有し、
該焦点指示切替手段は、該焦点位置操作部材が操作され第１の位置に達した後に指示する焦点位置を切替えること、を特徴とする。
【発明の効果】
【０００９】
本発明によれば、端ありの操作リングを用いたレンズ装置において、通常のフォーカス駆動とマクロ駆動の切替えを操作リングの操作のみにより、かつ、連続的に切替えることを可能にしたレンズ装置を提供することができる。これにより、ＭＯＤよりもさらに近距離の位置や、ＭＯＤよりも遠い位置にいる被写体に焦点を合わせることが容易となる。
【００１０】
端ありの操作リングで構成することにより、焦点位置（被写体距離）の指標をリングに表示させ、かつ、実際の焦点位置と、指標が指す焦点位置を一致させることが出来る。
【図面の簡単な説明】
【００１１】
【図１】第１の実施例におけるマクロ機能を有するレンズ装置の構成を示すブロック図
【図２】第１の実施例における操作リングと焦点位置の関係を説明する図
【図３】第１の実施例における領域切替え処理を説明するフローチャート
【図４】第２の実施例におけるマクロ機能を有するレンズ装置の構成を示すブロック図
【図５】第２の実施例における操作リングと焦点位置の関係を説明する図
【図６】第２の実施例における領域切替え処理を説明するフローチャート
【図７】第３の実施例における操作リングと焦点位置の関係を説明する図
【図８】第３の実施例における領域切替え処理を説明するフローチャート
【図９】第４の実施例におけるマクロ機能を有するレンズ装置の構成を示すブロック図
【図１０】第４の実施例における領域切替え処理を説明するフローチャート
【発明を実施するための形態】
【００１２】
以下に、本発明の好ましい実施の形態を、添付の図面に基づいて詳細に説明する。
【００１３】
［実施例１］
以下、図１から図３を参照して、本発明の第１の実施例による、通常のフォーカス駆動とマクロ駆動の切替えをする処理について説明する。本実施例において、操作リングが端に当たった時に、通常のフォーカス駆動とマクロ駆動の切替えをするか否かを判断する。
【００１４】
図１は、本発明の実施形態に係るマクロ機能を有するレンズ装置の構成を示すブロック図である。
【００１５】
レンズ装置１００は、フォーカスレンズ群１０１と、フォーカスモータ１０２と、フォーカスドライバ１０３と、フォーカス位置検出部１０４を含むフォーカス機構を有する。フォーカスレンズ群１０１は、フォーカスドライバ１０３によって駆動されるフォーカスモータ１０２によって光軸方向に移動する。フォーカスレンズ群１０１の位置は、フォーカス位置検出部１０４によって検出される。
【００１６】
また、レンズ装置１００は、ズームレンズ群１０５と、ズームモータ１０６と、ズームドライバ１０７と、ズーム位置検出部１０８を含むズーム機構を有する。ズームレンズ群１０５は、ズームドライバ１０７によって駆動されるズームモータ１０６によって光軸方向に移動する。ズームレンズ群１０５の位置は、ズーム位置検出部１０８よって検出される。ズーム機構よりも像面側にフォーカス機構を配置する、所謂リアフォーカス式のレンズ装置であり、マクロ駆動もフォーカスレンズ１０１を駆動することにより実現する。
【００１７】
操作リング１１１は、回転方向に手動操作可能であり、操作範囲を制限する機械的な端を有し、操作リング１１１の位置に応じて、フォーカスレンズ群１０１の目標位置を決定するためのコントローラである。操作リング１１１について、時計回りに操作することをＣＷ方向に操作すると呼び、ＣＷ方向に操作したときの端をＣＷ端と呼ぶ。また、反時計回りに操作することをＣＣＷ方向に操作すると呼び、ＣＣＷ方向に操作したときの端をＣＣＷ端と呼ぶ。
【００１８】
リング位置検出部１１２は、操作リング１１１の位置を検出し、操作リング１１１の位置情報を、駆動制御部１２１および領域切替え判別部１２２に出力する。
【００１９】
ＣＰＵ１２０は、駆動制御部１２１、領域切替え判別部１２２を含む。
【００２０】
領域切替え判別部１２２は、リング位置検出部１１２から得る操作リング１１１の位置情報に基づき、駆動制御部１２１により焦点位置を変化させる範囲を決める領域情報を駆動制御部１２１に出力する。
【００２１】
ここで、ズーム全域において合焦を保証できる範囲のうち最も近い距離である所謂ＭＯＤを第１の至近端と呼び、焦点位置が無限遠から第１の至近端までを通常領域と呼ぶ。また、通常領域と異なる領域であって、ズーム全域では合焦が保証できない範囲のうち最も近い距離を第２の至近端と呼び、第２の至近端から第１の至近端までをマクロ領域と呼ぶ。
【００２２】
図２は、領域情報として通常領域またはマクロ領域が設定されている場合の操作リング１１１の位置と焦点位置との関係を示したものである。図２の（１）に領域情報として通常領域が設定されている場合を示す。操作リング１１１がＣＷ端のときに焦点位置が無限遠となる様に、また、操作リング１１１がＣＣＷ端のときに焦点位置がＭＯＤとなる様に、フォーカスレンズ群１０１は制御される。
【００２３】
一方、図２の（２）に領域情報としてマクロ領域が設定されている場合を示す。操作リング１１１がＣＷ端のときに焦点位置が第２の至近端となる様に、また、操作リング１１１がＣＣＷ端のときに焦点位置が第１の至近端となる様に、フォーカスレンズ群１０１は制御される。
【００２４】
駆動制御部１２１は、位置情報と領域情報とに基づき、目標焦点位置を決定する。次に駆動制御部１２１は、決定した目標焦点位置と、ズーム位置検出部１０８から得られるズーム位置とに基づき、フォーカスレンズ群１０１の光軸方向における目標位置を決定する。
【００２５】
さらに駆動制御部１２１は、ドライバ１０３、フォーカスモータ１０２を介して、フォーカスレンズ群１０１を目標位置に移動させる。
【００２６】
領域切替え判別部１２２により、領域情報として通常領域を設定したり、マクロ領域を設定したりすることで、通常のフォーカス駆動とマクロ駆動を切替えるのである。
【００２７】
次に、本実施例における通常のフォーカス駆動とマクロ駆動を切替える処理の一連の流れを、図３のフローチャートを用いて説明する。ＣＰＵ１２０は、これらの処理を、不図示のメモリに格納されたコンピュータプログラムに従って実行し、レンズ装置１００を制御する。
【００２８】
ステップＳ１１０において、領域切替え判別部１２２は、リング位置検出部１１２により検出された操作リング１１１の位置情報を取得し、ステップＳ１２０に進む。
【００２９】
ステップＳ１２０において、領域切替え判別部１２２は、ステップＳ１１０にて得た操作リングの位置情報に基づき、操作リング１１１がＣＣＷ端に達したか否かを判別し、ＣＣＷ端に達した場合はステップＳ１３０に進む。一方、操作リング１１１がＣＣＷ端に達していない場合はステップＳ１６０に進む。
【００３０】
ステップＳ１３０において、領域切替え判別部１２２は、不図示の記憶部に、現在の領域情報として通常領域が設定されているとき、ステップＳ１４０に進む。
【００３１】
ステップＳ１４０において、領域切替え判別部１２２は、図２の（２）に示す様に操作リング１１１のＣＷ端に第２の至近端を対応させ、かつＣＣＷ端に第１の至近端を対応させ、その領域情報を不図示の記憶部に記憶する。すなわち現在の領域情報としてマクロ領域を設定する。
【００３２】
一方、ステップＳ１３０において、領域切替え判別部１２２は、記憶部に、現在の領域情報としてマクロ領域が設定してあるとき、ステップＳ１５０に進む。
【００３３】
ステップＳ１５０において、図２の（１）に示す通り操作リング１１１のＣＷ端に無限遠を対応させ、かつＣＣＷ端に第１の至近端を対応させ、その領域情報を不図示の記憶部に記憶する。すなわち現在の領域情報として通常領域を設定する。
【００３４】
次いでステップＳ１６０に進み、駆動制御部１２１は、ステップＳ１４０またはＳ１５０にて記憶された領域情報と、リング位置検出部１１２から得る位置情報とに基づき、目標焦点位置を決定し、ステップＳ１１０に戻り、これまでの処理を繰り返し実行する。
【００３５】
以上説明した様に、本実施例によれば、操作リング１１１の操作により、領域情報を、通常領域とするかマクロ領域とするかを切替えているので、通常のフォーカス駆動とマクロ駆動の切替えを連続的に行うことが出来る。また、設定されている領域情報が通常領域のときに加えてマクロ領域のときも、それぞれの領域に対して、操作リングの操作領域全域を対応させているので、分解能の低下もない。
【００３６】
また、本実施例においては、図２に示す様に、操作リングと焦点位置の関係を直線で示したが、曲線であっても良い。また、通常領域とマクロ領域とにおける分解能を変えても良い。また、操作リング１１１の操作方向において、ＣＷとＣＣＷとの関係を変えても良い。
【００３７】
［実施例２］
以下、図４から図６を参照して、本発明の第２の実施例による、通常のフォーカス駆動とマクロ駆動を切替える処理について説明する。ここでは第１の実施例で既に説明したことについては説明を省略する。
【００３８】
第１の実施例においては、操作リングがＣＣＷ端に達したときに、通常領域とマクロ領域のうち、前回設定した領域情報とは異なる方の領域情報を設定するようにしていた。
【００３９】
本実施例においては、操作リングがＣＣＷ端に達したときに、マクロモード切替えスイッチによる切替え可否の選択結果に基づいて、領域情報を切替えるか否かを判断する例について説明する。
【００４０】
図４は、本発明の実施形態に係るマクロ機能を有するレンズ装置の構成を示すブロック図である。図１で示すブロック図と同じ符号のものについては、説明を省略する。
【００４１】
第１の実施例の図１で説明した構成に加えて、レンズ装置１００は、マクロモード切替えスイッチ１３０を有する。マクロモード切替えスイッチ１３０は、設定する領域情報の切替え可否を選択するためのスイッチである。
【００４２】
ＣＰＵ１２０に含まれる領域切替え判別部１２２は、リング位置検出部１１２から得る操作リング１１１の位置情報と、マクロモード切替えスイッチ１３０から得るスイッチ情報とに基づき、通常領域とマクロ領域のうち、一方の領域情報を設定する。また、設定後の領域情報を駆動制御部１２１に出力する。
【００４３】
また、第１の実施例においては、領域情報として通常領域が設定されている場合は、操作リング１１１がＣＷ端のときに焦点位置が無限遠となる様に、また、操作リング１１１がＣＣＷ端のときに焦点位置が第１の至近端となる様にした。一方、領域情報としてマクロ領域が設定されている場合は、操作リング１１１がＣＷ端のときに焦点位置が第２の至近端となる様に、また、操作リング１１１がＣＣＷ端のときに焦点位置が第１の至近端となる様にした。
【００４４】
本実施例においては、通常領域およびマクロ領域の範囲を次の様に決める。焦点位置が無限遠から第１の至近端よりも所定距離だけ近い距離Ｄｎ、までの領域を通常領域と呼び、後述する第２の至近端から第１の至近端よりも所定距離だけ近い距離Ｄｆ、までの領域をマクロ領域と呼ぶ。
【００４５】
図５は、領域情報として通常領域およびマクロ領域が設定されている場合の操作リング１１１の位置と焦点位置の関係を示したものである。
【００４６】
図５の（１）に領域情報として通常領域が設定されている場合を示す。操作リング１１１がＣＷ端のときに焦点位置が無限遠となる様に、また、ＣＣＷ端のときには、第１の至近端よりも所定距離だけ近い距離Ｄｎとなる様に、フォーカスレンズ群１０１は制御される。
【００４７】
図５の（２）に領域情報としてマクロ領域が設定されている場合を示す。操作リング１１１がＣＷ端のときに焦点位置が第２の至近端となる様に、また、ＣＣＷ端のときには、第１の至近端よりも所定距離だけ遠い距離Ｄｆとなる様に、フォーカスレンズ群１０１は制御される。
【００４８】
また、通常のフォーカス駆動からマクロ駆動へ切替える場合、およびマクロ駆動から通常のフォーカス駆動へ切替える際に、スムーズに切替えられるように、次の様にする。
【００４９】
通常領域において操作リング１１１の位置ＰｒがＣＣＷ端にあるとき、レンズ装置１００の焦点位置はＤｎである。マクロ領域において焦点位置がＤｎに相当する操作リング１１１の位置をＰｍｎとする。通常領域からマクロ領域へ切替える際、操作リング１１１の位置ＰｒがＣＣＷ端からＰｍｎの間は不感帯とし、焦点位置をＤｎから変化させない様にする。その後ＰｒがＰｍｎに達した後は、図５の（２）に示すマクロ領域における操作リング１１１の位置と焦点位置の関係の通りに、フォーカスレンズ群１０１は制御される。
【００５０】
同様に、マクロ領域において操作リング１１１の位置ＰｒがＣＣＷ端にあるとき、レンズ装置１００の焦点位置はＤｆである。通常領域において焦点位置がＤｆに相当する操作リング１１１の位置をＰｎｆとする。マクロ領域から通常領域へ切替える際、操作リング１１１の位置ＰｒがＣＣＷ端からＰｎｆの間は不感帯とし、焦点位置をＤｆから変化させない様にする。その後ＰｒがＰｎｆに達した後は、図５の（１）に示す通常領域における操作リングの位置と焦点位置の関係の通りに、フォーカスレンズ群１０１は制御される。
【００５１】
次に、本実施例における通常のフォーカス駆動とマクロ駆動を切替える処理の一連の流れを、図６のフローチャートを用いて説明する。ＣＰＵ１２０は、これらの処理を、不図示のメモリに格納されたコンピュータプログラムに従って実行し、レンズ装置１００を制御する。
【００５２】
図６のステップＳ１１０、Ｓ１２０、およびステップＳ１４０からＳ１６０までの処理は、第１の実施例で説明した図３のフローチャートの内容と同じ処理である。
【００５３】
まず、ステップＳ１１０において、領域切替え判別部１２２は、リング位置検出部１１２により検出された操作リング１１１の位置情報を取得し、ステップＳ２１０に進む。
【００５４】
ステップＳ２１０において、領域切替え判別部１２２は、領域情報の切替え中を示す切替え中フラグがセットされているか否かを判別し、セットされていないときステップＳ１２０に進み、セットされているときはステップＳ２２０へ進む。
【００５５】
ステップＳ１２０において、領域切替え判別部１２２は、ステップＳ１１０にて得た操作リング１１１の位置情報に基づき、操作リング１１１がＣＣＷ端に達したか否かを判別し、ＣＣＷ端に達した場合はステップＳ２５０に進む。一方、操作リング１１１がＣＣＷ端に達していない場合はステップＳ１６０に進む。
【００５６】
ステップＳ２５０において、領域切替え判別部１２２は、マクロモード切替えスイッチ１３０から得るスイッチ情報がマクロモードＯＮのとき、かつ、設定してある現在の領域情報が通常領域の場合、ステップＳ２６０に進む。
【００５７】
また、ステップＳ２５０において、マクロモード切替えスイッチ１３０から得るスイッチ情報がマクロモードＯＦＦのとき、かつ、設定してある現在の領域情報がマクロ領域の場合にも、ステップＳ２６０に進む。
【００５８】
すなわち、通常のフォーカス駆動からマクロ駆動へ切替える場合、およびマクロ駆動から通常のフォーカス駆動へ切替える際に、ステップＳ２６０へ進むのである。ステップＳ２６０において、切替え中フラグをセットし、ステップＳ１１０に戻る。
【００５９】
ステップＳ２２０において、ステップＳ１１０にて取得した操作リング１１１の位置Ｐｒが、マクロ駆動へ切替える場合にＰｍｎに達したか否か、通常のフォーカス駆動へ切替える場合にＰｎｆに達したか否かを判別し、達したときステップＳ２３０へ進む。一方、達していない場合はステップＳ１１０に戻る。
【００６０】
ステップＳ２３０において、切替え中フラグをクリアし、ステップＳ２４０へ進む。
【００６１】
ステップＳ２４０において、領域切替え判別部１２２は、マクロモード切替えスイッチ１３０から得るスイッチ情報が、マクロモードＯＮのとき、ステップＳ１４０に進む。
【００６２】
ステップＳ１４０において、領域切替え判別部１２２は、図５の（２）に示す通り、操作リング１１１のＣＣＷ端にＤｆを、またＣＷ端に第２の至近端を対応させ、その領域情報を不図示の記憶部に記憶し、ステップＳ１６０に進む。
【００６３】
一方、ステップＳ２４０において、領域切替え判別部１２２は、マクロモード切替えスイッチ１３０から得るスイッチ情報が、マクロモードＯＦＦのとき、ステップＳ１５０に進む。
【００６４】
ステップＳ１５０において、図５の（１）に示す通り、操作リング１１１のＣＣＷ端にＤｎを、また、ＣＷ端に無限遠を対応させ、その領域情報を不図示の記憶部に記憶し、ステップＳ１６０に進む。
【００６５】
ステップＳ１６０において、駆動制御部１２１は、ステップＳ２４０またはＳ２５０にて記憶された領域情報と、リング位置検出部１２２から得る位置情報とに基づき、目標とする焦点位置を決定し、ステップＳ１１０に戻り、これまでの処理を繰り返し実行する。
【００６６】
以上説明した様に、本実施例によれば、マクロモード切替えスイッチ１３０の設定情報と操作リング１１１の操作により通常領域とするかマクロ領域とするかを切替えているので、ユーザの意図通り、通常のフォーカス駆動とマクロ駆動の切替えを行うことが出来る。
【００６７】
また、マクロモード切替えスイッチを操作したら直ぐに、領域が切替るのではなく、操作リング１１１がＣＣＷ端に達したことを判別して、領域を切替えるようにしているので、通常領域、マクロ領域の操作の連続性を保つことが出来る。
【００６８】
また、本実施例では、図５に操作リング１１１の位置として、ＰｍｎとＰｎｆを同じ位置としているが、これに限らず、異なる位置としても良い。
【００６９】
［実施例３］
以下、再度図１および図７、図８を参照して、本発明の第３の実施例による、フォーカスレンズ群の駆動領域について通常領域とマクロ領域を切替える処理について説明する。ここでは第１および第２の実施例で既に説明したことについては説明を省略する。
【００７０】
本実施例においては、操作リング１１１のＣＣＷ端付近にクリック箇所を設けた例について説明する。ここで、クリック箇所とは、操作リング１１１を回転方向に操作をする際、特定の位置において、機械的な負荷がかかり、一度その特定の位置で回転操作が止められる箇所のことである。ユーザが操作リング１１１をＣＣＷ方向に操作をすると、一度このクリック箇所で操作が止められる。そこからさらにＣＣＷ方向に操作をすれば、ＣＣＷ端まで操作が可能である。
【００７１】
操作リング１１１は、ＣＣＷ端から所定距離ＣＷ方向に回転させた位置にクリック箇所を有する。通常、ユーザの操作においては、ＣＷ端からこのクリック箇所の間で操作する。
【００７２】
すなわち、第１および第２の実施例においては、ＣＷ端からＣＣＷ端までを通常領域またはマクロ領域に対応させていたが、本実施例においては、図７に示す様に、ＣＷ端からクリック箇所までを通常領域またはマクロ領域に対応させる例について説明する。図７の（１）に領域情報として通常領域が設定されている場合を示し、（２）に領域情報としてマクロ領域が設定されている場合を示す。また、クリック箇所からＣＣＷ端までの間で操作リングを操作しても、フォーカスレンズ群の駆動はしない。すなわち、クリック箇所からＣＣＷ端までの間を不感帯とする。
【００７３】
ここで、本実施例におけるフォーカス領域とマクロ領域を切替える処理の一連の流れを図８のフローチャートを用いて説明する。ＣＰＵ１２０は、これらの処理を、不図示のメモリに格納されたコンピュータプログラムに従って実行し、レンズ装置１００を制御する。
【００７４】
図８のステップＳ１１０からステップＳ１５０までは、第１の実施例で説明した図３のフローチャートの内容と同じ処理であるので説明を省略する。
【００７５】
ステップＳ３１０において、ステップＳ１１０にて取得した操作リング１１１の位置情報が、クリック箇所よりもＣＣＷ側であるとき、ステップＳ１１０に戻る。クリック箇所からＣＣＷ端までの間にあるとき不感帯としており、焦点位置を変化させる必要がないからである。一方ステップＳ３１０において、位置情報が、クリック箇所よりもＣＣＷ側でないときは、ステップＳ１６０に進む。ステップＳ１６０においては、第１の実施例で説明した処理同様、駆動制御部１２１は目標とする焦点位置を決定し、ステップＳ１１０戻り、これまでの処理を繰り返し実行する。
【００７６】
以上、説明した様に、通常は操作リング１１１のＣＷ端からクリック箇所までを操作し、領域を切替えたいときのみ、クリック箇所よりもＣＣＷ方向へ操作してＣＣＷ端に当てることにしているので、ユーザが意図したとおりに切替えることが出来る。また操作リング１１１の他に、スイッチなどの部材を操作することなく、操作リング１１１のみを操作することにより、簡単に領域を切替えることが可能となる。
【００７７】
［実施例４］
以下、図９および図１０を参照して、本発明の第４の実施例による、フォーカスレンズ群の駆動領域について通常領域とマクロ領域を切替える処理について説明する。ここでは第１乃至第３の実施例で既に説明したことについては説明を省略する。
【００７８】
本実施例においては、操作リングが端に当たった時に、合焦評価値を参照し、現在の領域ではない他方の領域に合焦点があると判断した場合に、領域を切替えるか否かを判断する。
【００７９】
図９は、本発明の実施形態に係るマクロ機能を有するレンズ装置の構成を示すブロック図である。図１で示すブロック図と同じ符号のものについては、説明を省略する。
【００８０】
第１の実施例の図１で説明した構成に加えて、レンズ装置１００が有するＣＰＵ１２０は、合焦位置検出部１４０を含む。
【００８１】
合焦位置検出部１４０は、公知の技術である外測ＡＦを実現する外測ＡＦ機構にも用いられるものであり、不図示の外測位相差センサから得られる２像信号に基づき相関演算を行うことにより位相差を検出し、この位相差に基づき、焦点位置（合焦位置）を算出する。
【００８２】
また、本実施例においては、第１の実施例と同様に、領域情報として通常領域が設定されている場合は、操作リング１１１がＣＷ端のときに焦点位置が無限遠となる様に、また、操作リング１１１がＣＣＷ端のときに焦点位置が第１の至近端となる様にした。領域情報としてマクロ領域が設定されている場合は、操作リング１１１がＣＷ端のときに焦点位置が第２の至近端となる様に、また、操作リング１１１がＣＣＷ端のときに焦点位置が同じく第１の至近端となる様にした。
【００８３】
次に、本実施例におけるフォーカス領域とマクロ領域を切替える処理の一連の流れを、図１０のフローチャートを用いて説明する。ＣＰＵ１２０は、これらの処理を、不図示のメモリに格納されたコンピュータプログラムに従って実行し、レンズ装置１００を制御する。
【００８４】
図１０のステップＳ１１０、Ｓ１２０、およびステップＳ１４０からＳ１６０までの処理は、第１の実施例で説明した図３のフローチャートの内容と同じ処理であるので説明を省略する。
【００８５】
ステップＳ１２０において、領域切替え判別部１２２は、ステップＳ１１０にて得た操作リング１１１の位置情報に基づき、操作リング１１１がＣＣＷ端に達したか否かを判別し、ＣＣＷ端に達した場合はステップＳ４１０に進む。一方、操作リング１１１がＣＣＷ端に達していない場合はステップＳ１６０に進む。
【００８６】
ステップＳ４１０において、外測センサから得られる２像信号に基づき、合焦位置を算出し、ステップＳ４２０に進む。
【００８７】
ステップＳ４２０において、領域切替え判別部１２２は、ステップＳ４１０にて得た合焦位置Ｄｇが、マクロ領域か否かを判別し、マクロ領域であるとき、ステップＳ１４０に進む。
【００８８】
ステップＳ１４０において、領域切替え判別部１２２は、図２の（２）に示す通り操作リング１１１のＣＣＷ端に第１の至近端を、またＣＷ端に第２の至近端を対応させ、その領域情報を不図示の記憶部に記憶する。すなわち現在の領域情報としてマクロ領域を設定する。
【００８９】
一方、ステップＳ４２０において、ステップＳ４１０にて得た合焦位置Ｄｇが、通常領域であるとき、ステップＳ１５０に進む。
【００９０】
ステップＳ１５０において、図２の（１）に示す通り操作リング１１１のＣＣＷ端に第１の至近端を、また、ＣＷ端に無限遠を対応させ、その領域情報を不図示の記憶部に記憶する。すなわち現在の領域情報として通常領域を設定する。
【００９１】
次いでステップＳ１６０に進み、駆動制御部１２１は、ステップＳ１４０またはＳ１５０にて記憶された領域情報と、リング位置検出部１２２から得る位置情報とに基づき、目標焦点位置決定し、ステップＳ１１０に戻り、これまでの処理を繰り返し実行する。
【００９２】
以上説明した様に、操作リングを操作し、ＣＣＷ端に達したときに、合焦評価値に基づいて、現在の領域ではない他方の領域に合焦位置があると判断したときに、領域を切替えるか否かを判断する。したがってユーザによる特別な操作をすることなく、被写体の焦点位置に適した焦点位置を選択することが出来る。また操作リング１１１の他に、スイッチなどの部材を操作することなく、操作リング１１１のみを操作することにより、簡単に領域を切替えることが可能となる。
【００９３】
また、本実施例では、外測ＡＦで用いられる検出方法を用いることにより、合焦位置を検出するようにしたが、これに限定されるものではない。
【００９４】
例えば、レンズ装置を通過した光束を分岐光学系により分岐し、分岐された光束から被写体に対する合焦状態を検出し、その結果に基づき焦点調節を行う、所謂、位相差ＡＦの原理を用いて合焦位置を検出するようにしても良い。
【００９５】
また、例えば、画像入力部から得られる画像から、画像信号の高周波成分を抽出し、合焦判定のために用いる評価値を算出する映像ＡＦの原理を用いて合焦位置を検出するようにしても良い。この場合、評価値をその都度取得することにより所謂山登り検出をし、操作リングがＣＣＷ端に達した時に、山登り中で有った場合は、現在の領域ではない他方の領域において、評価値のピークを得られる可能性が高いと推測し、領域を切替えるとしても良い。
【００９６】
また、フォーカスレンズ群１０１の目標位置を決定するためのコントローラとして、操作リング１１１を用いているが、これに限られるものではない。例えば、レンズ装置に接続される端ありのフォーカスデマンドを用いるようにしても良い。
【００９７】
また、リアフォーカスレンズを例に説明したが、これに限定せず、前玉フォーカスレンズに電動マクロ機能が有れば、本発明を適用可能である。
【００９８】
以上、本発明の好ましい実施形態について説明したが、本発明はこれらの実施形態に限定されず、その要旨の範囲内で種々の変形及び変更が可能である。
【符号の説明】
【００９９】
１００  レンズ装置
１０１  フォーカスレンズ群
１０２  フォーカスモータ
１０３  フォーカスドライバ
１１１  操作リング
１１２  操作リング位置検出部
１２０  ＣＰＵ
１２１  駆動制御部
１２２  領域判別部
【図１】
2014235200.tif 000003
【図２】
2014235200.tif 000004
【図３】
2014235200.tif 000005
【図４】
2014235200.tif 000006
【図５】
2014235200.tif 000007
【図６】
2014235200.tif 000008
【図７】
2014235200.tif 000009
【図８】
2014235200.tif 000010
【図９】
2014235200.tif 000011
【図１０】
2014235200.tif 000012